(57)【要約】      （修正有）【課題】手摺りベルトに情報を簡単に表示できる乗客コンベアを提供する。【解決手段】無端状に連結されて移動する複数のステップ３０と、ステップ３０の左右両側に立設された左右一対の欄干と、欄干の縁に沿って、ステップ３０と同期して移動する手摺りベルト３８と、手摺りベルト３８の表面に設けられた磁気泳動方式の表示シートとよりなり、書き込み装置によって磁気泳動方式の表示シートに磁気によって矢印Ａを書き込み、消去装置によって消去する。【選択図】図２
2014237513.tif 000002
【特許請求の範囲】
【請求項１】
無端状に連結されて移動する複数のステップと、
前記ステップの左右両側に立設された左右一対の欄干と、
前記欄干の縁に沿って、前記ステップと同期して移動する手摺りベルトと、
前記手摺りベルトの表面に設けられた表示部と、
前記表示部に情報を表示させるための書き込み装置と、
を有する乗客コンベア。
【請求項２】
前記表示部の表示された前記情報を消去する消去装置をさらに有する、
請求項１に記載の乗客コンベア。
【請求項３】
前記表示部が前記手摺りベルトの表面に設けられた磁気泳動方式の表示シートであり、
前記書き込み装置は、前記表示シートに前記情報に対応した磁気を与えて、前記情報を書き込む永久磁石、又は、電磁石であり、
前記消去装置は、前記表示シートの前記情報を磁気によって消去するための永久磁石、又は、電磁石である、
請求項２に記載の乗客コンベア。
【請求項４】
前記書き込み装置が、
前記手摺りベルトと同期して回転しながら前記手摺りベルトに押圧される書き込みローラと、
前記書き込みローラの表面に、前記情報に対応した形状で設けられた永久磁石と、
を有する請求項３に記載の乗客コンベア。
【請求項５】
前記書き込み装置が、
前記手摺りベルトの幅方向に設けられ、前記表示部に磁気を与える複数の電磁石からなる電磁石ユニット部と、
前記情報に対応したＯＮ又はＯＦＦの磁化パターンを前記手摺りベルトの移動方向と幅方向に分けて、前記電磁石ユニット部の前記電磁石に個々に出力する指令部と、
を有する請求項３に記載の乗客コンベア。
【請求項６】
前記表示シートは、表示したい色に着色された磁性粉と前記表示したい色と異なる色に着色された流体とを内包したマイクロカプセルと、
前記マイクロカプセルを挟持している一対のフィルムを有する、
請求項３乃至５のいずれか一項に記載の乗客コンベア。
【請求項７】
前記表示シートは、磁性粉と流体とを内包したマイクロカプセルと、
前記マイクロカプセルを挟持している一対のフィルムを有し、
前記磁性粉のＳ極とＮ極に分割して磁性化され、前記極毎に着色されている色が異なり、
前記流体の色が、前記Ｓ極又は前記Ｎ極の色に着色されている、
請求項３乃至５のいずれか一項に記載の乗客コンベア。
【請求項８】
前記表示部が、前記手摺りベルトの表面に塗布されたサーモクロミック塗料によって形成された塗布部であり、
前記書き込み装置は、前記情報に対応した部分のみが所定温度以上になった伝熱ローラであって、
前記伝熱ローラを前記表示部に押圧することにより、前記表示部に前記情報を書き込む、
請求項１に記載の乗客コンベア。
【請求項９】
前記書き込み装置は、前記情報を所定間隔毎に前記表示シートに書き込む、
請求項１乃至８のいずれか一項に記載の乗客コンベア。
【請求項１０】
前記書き込み装置は、前記乗客コンベアの一方の乗降口と他方の乗降口にそれぞれ設けられている、
請求項１乃至８のいずれか一項に記載の乗客コンベア。
【請求項１１】
前記書き込み装置は、一方の前記乗降口と他方の前記乗降口との間にある前記欄干の上部に設けられている、
請求項１乃至８のいずれか一項に記載の乗客コンベア。
【請求項１２】
前記情報が、前記ステップの移動方向を示す矢印である、
請求項１乃至１１のいずれか一項に記載の乗客コンベア。
【請求項１３】
前記情報が、乗降口への進入禁止を示すマークである、
請求項１乃至１１のいずれか一項に記載の乗客コンベア。
【発明の詳細な説明】
【技術分野】
【０００１】
本発明の実施形態は、乗客コンベアに関するものである。
【背景技術】
【０００２】
従来のエスカレータや動く歩道などの乗客コンベアにおいて、踏段やパレットなどのステップの移動方向を乗客に示す表示装置としては、乗客コンベアの正面スカートガードに表示部を設けたり、乗降口付近に表示装置を設けている。
【０００３】
また、乗客コンベアの手摺りベルトの表面に、移動方向を示す矢印に対応した凹部を設けた技術も提案されている。
【先行技術文献】
【特許文献】
【０００４】
【特許文献１】特開２００３−２７６９７６号公報
【発明の概要】
【発明が解決しようとする課題】
【０００５】
しかし、手摺りベルトに凹部を設けて矢印を形成する場合には、その矢印の方向を書き換えることが困難であり、乗客コンベアの移動方向を例えば上りから下りに転換できないという問題点があった。
【０００６】
そこで、本発明の実施形態は、上記問題点に鑑み、手摺りベルトに情報を簡単に表示できる乗客コンベアを提供することを目的とする。
【課題を解決するための手段】
【０００７】
本発明の実施形態は、無端状に連結されて移動する複数のステップと、前記ステップの左右両側に立設された左右一対の欄干と、前記欄干の縁に沿って、前記ステップと同期して移動する手摺りベルトと、前記手摺りベルトの表面に設けられた表示部と、前記表示部に情報を表示させるための書き込み装置と、を有する乗客コンベアである。
【図面の簡単な説明】
【０００８】
【図１】実施形態１のエスカレータの側面図である。
【図２】エスカレータの平面図である。
【図３】手摺りベルトを表したエスカレータの側面図である。
【図４】手摺りベルトの縦断面図である。
【図５】下階側書き込み装置の縦断面図である。
【図６】書き込みローラの斜視図である。
【図７】実施形態２の手摺りベルトを表したエスカレータの側面図である。
【図８】書き込み装置の斜視図である。
【図９】エスカレータのブロック図である。
【図１０】書き込み装置によって書き込まれる情報を表した表である。
【図１１】矢印が表示された手摺りベルトの平面図である。
【図１２】実施形態２のフローチャートである。
【図１３】実施形態３の手摺りベルトを表示したエスカレータの側面図である。
【図１４】図１３におけるＩ−Ｉ線断面図である。
【図１５】手摺りベルトの平面図である。
【図１６】矢印を表示する部分の手摺りベルトの縦断面図である。
【図１７】禁止マークを表示する部分の手摺りベルトの縦断面図である。
【図１８】実施形態４の手摺りベルトの状態を表したエスカレータの側面図である。
【図１９】下階側書き込み装置の縦断面図である。
【図２０】伝熱ローラの平面図である。
【発明を実施するための形態】
【０００９】
以下、一実施形態のエスカレータ１０を図面に基づいて順番に説明する。
【実施形態１】
【００１０】
以下、実施形態１のエスカレータ１０を図１〜図６に基づいて説明する。
【００１１】
（１）エスカレータ１０
エスカレータ１０の構造について、図１に基づいて説明する。図１はエスカレータ１０を側面から見た説明図である。
【００１２】
エスカレータ１０のトラス１２が、建屋１の上階と下階に跨がって支持アングル２，３を介して支持されている。トラス１２の上端部にある上階側の機械室１４内部には、駆動装置１８が設けられている。
【００１３】
駆動装置１８は、モータ２０、このモータ２０に連結された減速機１９、減速機の出力軸に取り付けられた出力スプロケット２１を有し、出力スプロケット２１と駆動スプロケット２４との間には駆動チェーン２２が掛け渡され、駆動チェーン２２により駆動スプロケット２４が駆動される。上階側の機械室１４内部には、制御装置５０が設けられている。トラス１２の下端部にある下階側の機械室１６内には、従動スプロケット２６が設けられ、駆動スプロケット２４と従動スプロケット２６との間に踏段チェーン２８が掛け渡され、踏段チェーン２８には複数の踏段３０が等間隔で連結されている。
【００１４】
踏段３０は、その前後に前輪３０ａ及び後輪３０ｂが取り付けられ、これら前輪３０ａ及び後輪３０ｂが、トラス１２内に設けられた不図示の往路ガイドレール、帰路ガイドレール及び反転ガイドレールからなるガイドレールによって案内されることにより、複数の踏段（ステップ）３０は、踏段チェーン２８の移動と連動して循環走行する。
【００１５】
踏段３０が反転する位置の上部が利用者の乗降口であり、乗降口には上階側の乗降板３２、下階側の乗降板３４が設けられている。
【００１６】
トラス１２の左右両側には、左右一対の欄干３６，３６が立設されている。この欄干３６の上部には手摺レール３９が設けられ、手摺レール３９を手摺りベルト３８と手摺り移動ベルト６０が移動する。すなわち、手摺りベルト３８の内側に手摺り移動ベルト６０が配され、この手摺り移動ベルト６０は、欄干３６の下方でトラス１２内部に引き出されている。引き出された手摺り移動ベルト６０には、手摺りスプロケット６４が取り付けられている。また、この手摺りスプロケット６４と、駆動スプロケット２４の回転軸と同軸に設けられた駆動出力スプロケット６２との間に手摺り駆動チェーン６６が掛け渡されている。
【００１７】
駆動装置１８によってモータ２０が回転し、減速機１９で所定の速度で出力スプロケット２１が回転し、駆動チェーン２２が回転する。この駆動チェーン２２が回転すると、駆動スプロケット２４が回転し、踏段チェーン２８が移動する。また、駆動スプロケット２４が回転すると、駆動出力スプロケット６２も回転し、手摺り駆動チェーン６６によって手摺りスプロケット６４が回転する。手摺りスプロケット６４が回転すると、手摺り移動ベルト６０が移動し、この手摺り移動ベルト６０の外周に設けられている手摺りベルト３８も移動する。これによって、踏段３０と手摺りベルト３８が同期して移動する。
【００１８】
欄干３６の上階側の正面下部を覆う正面スカートガード４０が設けられ、下階側の正面下部には、下階側の正面スカートガード４２が設けられ、正面スカートガード４０，４２の正面から、手摺りベルト３８の出入口であるインレット部４６，４８が突出している。欄干３６の側面下部には、スカートガード４４が設けられている。また、上階側の正面スカートガード４０には、上階側の操作盤５２が設けられ、この近くのスカートガード４４には、上階側のスピーカ５４が設けられている。下階側の正面スカートガード４２にも下階側の操作盤５６が設けられ、その近くのスカートガード４４には、下階側のスピーカ５８が設けられている。
【００１９】
（２）表示を行うための構成
本実施形態のエスカレータ１０の左右一対の手摺りベルト３８，３８にエスカレータ１０の移動方向を示す矢印Ａを図２に示すように表示する。その表示を行うための構成について説明する。
【００２０】
図３に示すように、エスカレータ１０の上階側の左右一対の正面スカートガード４０，４０内部には、手摺りベルト３８に下り用矢印Ａを書き込むための上階側書き込み装置６８が設けられている。下階側の左右一対の正面スカートガード４２，４２にも手摺りベルト３８に上り用矢印Ａを書き込むための下階側書き込み装置７０が設けられている。上階と下階の途中にあるスカートガード４４内部には、書き込まれた矢印Ａを消去する消去装置７２が設けられている。
【００２１】
まず、本実施形態の手摺りベルト３８の構造について図４に基づいて説明する。
【００２２】
無端状の手摺りベルト３８は、ゴムや合成樹脂で形成されたシート状であり、その両側部が下方に屈曲し、Ｃ型に形成されている。手摺りベルト３８の表面には、磁気泳動方式の表示シート７４が積層されている。表示シート７４は、図４に示すように、上下一対の合成樹脂製のフィルム７６，７８の間に複数のマイクロカプセル８０が挟持されている。マイクロカプセル８０内部には、矢印Ａを表示したい色（例えば、黒色）に着色された磁性粉８２と、矢印Ａの表示する色とは異なる色（例えば、白色）に着色した流体８４が内包されている。
【００２３】
下階側書き込み装置７０は、上り用矢印Ａを書き込むための装置であって、図５に示すように、上下一対の書き込みローラ８６と支持ローラ８８とより構成され、書き込みローラ８６と支持ローラ８８の間を表示シート７４を有する手摺りベルト３８が移動する。なお、書き込みローラ８６が表示シート７４側に設置されている。書き込みローラ８６の外周面には、図６に示すように、矢印Ａの形状に形成された永久磁石からなる磁石部９０が所定間隔毎に設けられている。
【００２４】
上階側書き込み装置６８は、下り用矢印Ａを書き込むための装置であって、矢印形状の磁石部を有する書き込みローラ９２と支持ローラ９４とより構成され、書き込みローラ９２と支持ローラ９４の間を表示シート７４を有する手摺りベルト３８が移動する。
【００２５】
消去装置７２は、永久磁石板９６と支持板９８とを有し、永久磁石板９６と支持板９８との間を表示シート７４を有する手摺りベルト３８が通過する。この場合に、手摺りベルト３８側に永久磁石板９６が配置され、表示シート７４側に支持板９８が配置されている。そして、消去装置７２は、表示シート７４を有する手摺りベルト３８が、スカートガード４４内部を移動して途中（帰路の途中）で、上階側書き込み装置６８又は下階側書き込み装置７０によって書き込まれた矢印Ａを永久磁石板９６で消去する。
【００２６】
（３）表示方法
次に、上記で説明した矢印Ａの表示方法について説明する。
【００２７】
まず、エスカレータ１０が上り運転を行っている場合について説明する。
【００２８】
上り運転を行っているときは、表示シート７４を有する手摺りベルト３８は、往路では欄干３６の上部を下階から上階へ移動する。そのため、下階側書き込み装置７０によって、表示シート７４の表面に上り用矢印Ａが書き込まれる。
【００２９】
図４に示すように、書き込みローラ８６の矢印Ａ形状の磁石部９０の磁気によって、磁気泳動方式の表示シート７４のマイクロカプセル８０に内包された黒色の磁性粉８２が表示シート７４の表面に集まり、図２に示すように、表示シート７４の表面に黒色の矢印Ａが浮かび上る。この場合に矢印Ａ以外の部分は白色である。そして、書き込みローラ８６と支持ローラ８８は、手摺りベルト３８の移動と共に同期して回転するため、矢印Ａの書き込みは所定間隔毎に行われる。
【００３０】
下階側の乗降口にいる乗客は、その表示された上り用矢印Ａを見ると、エスカレータ１０が上り運転を行っていることが一目で判る。
【００３１】
手摺りベルト３８が上階側に到達すると、上り用矢印Ａが表示された表示シート７４には、上階側書き込み装置６８によって下り用矢印Ａも書き加えられる。しかし、この表示シート７４は、帰路においてはスカートガード４４内部を移動し、乗客の目に触れない。そして、表示シート７４が消去装置７２の位置に至ると、永久磁石板９６がマイクロカプセル８０内部の磁性粉８２を表示シート７４の表面から裏面側に移動するように吸着する。そのため、表示シート７４の表面は白色の流体８４が移動し表示シート７４に浮かび上がっている下り用矢印Ａと上り用矢印Ａが両方共に消去される。
【００３２】
そして、上り用矢印Ａと下り用矢印Ａが消去された表示シート７４は、下階側書き込み装置７０の位置に至ると、再び上り用矢印Ａのみが書き込まれ、欄干３６の上部を移動する。
【００３３】
エスカレータ１０が下り運転を行っている場合には、上り運転とは逆に上階側書き込み装置６８が表示シート７４に下り用矢印Ａを書き込み、表示シート７４を有する手摺りベルト３８は、欄干３６の上部を上階から下階へ移動する。下階側まで来ると下階側書き込み装置７０によって上り用矢印Ａも書き込まれるが、帰路においてスカートガード４４内部を移動するため乗客の目に付かない。消去装置７２が、上り用矢印Ａと下り用矢印Ａの両方共を消去し、再び上階側書き込み装置６８が下り用矢印Ａが書き込む。
【００３４】
（４）効果
上記実施形態のエスカレータ１０であると、上り運転の場合には下階側書き込み装置７０が表示シート７４に上り用矢印Ａが書き込み、下り運転の場合には上階側書き込み装置６８が下り用矢印Ａが書き込む。
【００３５】
また、スカートガード４４内部に設けられた消去装置７２が、上り用矢印Ａと下り用矢印Ａの両方共に消去する。
【００３６】
また、磁気泳動方式の表示シート７４であるので、上り運転や下り運転に関わらず矢印Ａを表示でき、手摺りベルト３８の構造が複雑にならない。
【００３７】
（５）変更例
上記実施形態では、黒色と白色の組み合わせであったが、これに限らず例えば、赤色と白色の組み合わせもよい。
【００３８】
また、書き込む情報も矢印に限らず、広告の文字や絵、その他の情報でもよい。
【実施形態２】
【００３９】
次に、実施形態２のエスカレータ１０について図７〜図１２に基づいて説明する。
【００４０】
本実施形態と実施形態１の異なる点は、矢印Ａの表示方法が異なる点である。なお、手摺りベルト３８と表示シート７４の構成については実施形態１と同様である。
【００４１】
本実施形態では、実施形態１における上階側書き込み装置６８、下階側書き込み装置７０及び消去装置７２に代えて、図７に示すように、上階側の正面スカートガード４０内部に、上り用矢印Ａと下り用矢印Ａを書き込む書き込み装置１００と、手摺りベルト３８の移動距離を測定する距離センサ１０２が設けられ、スカートガード４４内部には矢印Ａを消去する消去装置１０４が設けられている。
【００４２】
（１）表示を行うための構成
まず、書き込み装置１００の構成について図７と図８に基づいて説明する。
【００４３】
書き込み装置１００は、手摺りベルト３８の表示シート７４側に設けられ、図８に示すように、基台１０６の上に、複数個（例えば８個）の電磁石Ｍ１〜Ｍ８が幅方向に一列設けられ、電磁石ユニット部１０８を構成している。電磁石ユニット部１０８の各電磁石Ｍ１〜Ｍ８は、表示制御部１１４からの磁化パターンによってそれそれＯＮ／ＯＦＦすることにより個々に磁化される。
【００４４】
距離センサ１０２は、図７に示すように、手摺りベルト３８の移動と共に回転する不図示の手摺りローラに設けられた検出片の回転角度、回転数によって、手摺りベルト３８の移動距離を測定する。また、手摺りローラと同軸に設けられたエンコーダによってその移動距離を測定してもよい。
【００４５】
消去装置１０４は、図７に示すように、電磁石板１１０と支持板１１２とから構成され、電磁石板１１０と支持板１１２との間を、表示シート７４を有する手摺りベルト３８が通過する。なお、電磁石板１１０は、手摺りベルト３８側に設けられている。
【００４６】
（２）表示を行うための電気的構成
次に、上記表示を行うための表示制御部１１４の電気的構成について図９のブロック図に基づいて説明する。図９に示すように、表示制御部１１４は、移動距離判定部１１６、記録部１１８、指令部１２０からなる。移動距離判定部１１６には、距離センサ１０２が接続され、指令部１２０には、移動距離判定部１１６、記録部１１８、書き込み装置１００、消去装置１０４及び制御装置５０が接続されている。
【００４７】
移動距離判定部１１６は、距離センサ１０２からの出力信号に基づいて、手摺りベルト３８の移動距離を算出する。距離センサ１０２がエンコーダの場合には、回転数とその回転角度から移動距離を算出する。
【００４８】
記録部１１８には、図１０に示すように、上り用矢印Ａ又は下り用矢印Ａ毎に、手摺りベルト３８の幅方向及び移動方向に対応した電磁石Ｍ１〜Ｍ８のＯＮ／ＯＦＦ状態を示す磁化パターンが記録されている。
【００４９】
指令部１２０は、制御装置５０から運転方向信号（上り運転又は下り運転かを示す信号）が入力する。指令部１２０は、上り運転の場合には、記録部１１８から上り用矢印Ａを書き込むための磁化パターンを呼び出し、書き込み装置１００に移動距離判定部１１６からの移動距離に合わせて出力し、また、下り運転の場合には、記録部１１８から下り用矢印Ａを書き込むための磁化パターンを呼び出し、書き込み装置１００に移動距離判定部１１６からの移動距離に合わせて出力する。また、指令部１２０は、書き込み装置１００によって矢印Ａが書き込まれている間は上り運転であっても下り運転であっても消去装置１０４の電磁石板１１０を作動させ、矢印Ａを消去する。
【００５０】
（３）表示方法
次に、表示制御部１１４が、表示シート７４に矢印Ａを書き込み装置１００で書き込む表示方法について図１０と図１１に基づいて説明する。図１０は、表の横方向が手摺りベルト３８の幅方向を示し、縦方向は手摺りベルト３８の移動方向をセル番号で示し、各電磁石Ｍ１〜Ｍ８のＯＮ／ＯＦＦ状態を示している。図１１は、手摺りベルト３８の表示シート７４の平面図であり、矢印Ａを複数の黒色の点で表示（ドット表示）している。そして、書き込み装置１００は、図１０、図１１に示すように、手摺りベルト３８の移動距離に合わせて、１列の電磁石Ｍ１〜Ｍ８が個々にＯＮ／ＯＦＦすることにより、表示シート７４にドット表示を行う。
【００５１】
まず、１列目の点（ドット）の表示状態（第１セル）を実現するためには、図１０に示すように、表示制御部１１４が、電磁石Ｍ１〜Ｍ３はＯＦＦ状態、Ｍ４とＭ５はＯＮ状態、Ｍ６〜Ｍ８はＯＦＦ状態にすることにより、ＯＮ状態の電磁石が磁化されて、マイクロカプセル８０に内包されている磁性粉８２が表示シート７４の表面に移動して黒色に変化し、矢印Ａの第１セルの表示状態が実現できる。
【００５２】
次に、表示制御部１１４が、手摺りベルト３８が第１の設定値Ｌ１以上移動すると、第２セルの状態を表示する。すなわち、図１０に示すように、電磁石Ｍ１とＭ２がＯＦＦ状態、Ｍ３〜Ｍ６がＯＮ状態、Ｍ７とＭ８がＯＦＦ状態とすることにより、ＯＮ状態の電磁石が磁化されて、マイクロカプセル８０に内包されている磁性粉８２が表示シート７４の表面に移動し、矢印Ａの第２セルの表示状態が実現できる。以下同様に、手摺りベルト３８が第１の設定値Ｌ１が移動する毎に次のセルの状態に、電磁石Ｍ１〜Ｍ８をＯＮ／ＯＦＦさせ、第８セルまで表示させると、１つの矢印Ａが表示される。
【００５３】
次に、表示制御部１１４は、１つの矢印Ａを書き込んだ後、手摺りベルト３８が第２設定値Ｌ２移動すると、次の矢印Ａを上記と同様の方法で表示シート７４に書き込む。これにより、表示シート７４には第２設定値Ｌ２毎に矢印Ａが表示される。
【００５４】
（４）表示制御部１１４の動作状態
次に、上記で説明した表示制御部１１４の動作状態について、図１２のフローチャートに基づいて説明する。
【００５５】
ステップＳ１において、表示制御部１１４の指令部１２０に、制御装置５０から上り運転の信号が入力すると、指令部１２０は消去装置１０４を駆動させ、手摺りベルト３８の表示シート７４に表示されている矢印Ａを消去していき、ステップＳ２に進む。
【００５６】
ステップＳ２において、指令部１２０は、移動判定部１１６からの移動距離に基づいて、無端の手摺りベルト３８が１周したか否かを測定し、１周していればステップＳ３に進み（Ｙｅｓの場合）、１周していなければステップＳ２を続ける（Ｎｏの場合）。
【００５７】
ステップＳ３において、指令部１２０は、手摺りベルト３８が１周して消去装置１０４によって全ての矢印Ａが消去されたため、消去装置１０４の消去用電磁石板１１０を停止させステップＳ４に進む。
【００５８】
ステップＳ４において、指令部１２０は、記録部１１８に記録されている上り用矢印の磁化パターンのセル数（移動方向の数）を呼び出して、その数をｍとして記憶し、ステップＳ５に進む。
【００５９】
ステップＳ５において、指令部１２０は、ｎ＝１としてステップＳ６に進む。ここで、ｎとは、セルの番号を示す。
【００６０】
ステップＳ６において、指令部１２０は、記録部１１８に記録されている第ｎセルの磁化パターンを書き込み装置１００に出力し、書き込む装置１００は、例えば、第１セルにおいて図１０に示すように、電磁石Ｍ１〜Ｍ３をＯＦＦし、Ｍ４とＭ５をＯＮし、Ｍ６〜Ｍ８をＯＦＦし、表示シート７４に第１セルの磁化パターンを書き込み、ステップＳ７に進む。
【００６１】
ステップＳ７において、指令部１２０は、ｍ＝ｎとなったか否かを判断し、ｍ＝ｎであれば一つの上り用矢印Ａが書き込まれたのでステップＳ１０に進み（Ｙｅｓの場合）、ｍ＞ｎであれば上り用矢印Ａがまだ全て書き込まれていないのでステップＳ８に進む（Ｎｏの場合）。
【００６２】
ステップＳ８において、指令部１２０は、ｎ＝ｎ＋１としてステップＳ９に進む。
【００６３】
ステップＳ９において、指令部１２０は、前回のセルの書き込みから手摺りベルト３８が第１の設定値Ｌ１以上移動したか否かを移動判定部１１６からの移動信号に基づいて判断し、移動していればステップＳ６に戻り（Ｙｅｓの場合）、移動距離が第１の設定値Ｌ１に達していなければステップＳ９を続ける（Ｎｏの場合）。
【００６４】
ステップＳ１０において、起動開始時から指令部１２０は、手摺りベルト３８が２周したか否かを判断し、２周していれば手摺りベルト３８の周囲に全て新たに矢印Ａが書き込まれたとして終了し（Ｙｅｓの場合）、２周していなければステップＳ１１に進む（Ｎｏの場合）。
【００６５】
ステップＳ１１において、指令部１２０は、第ｍセルの書き込み完了から手摺りベルト３８が第２の設定値Ｌ２以上移動しているか否かを判断し、移動していれば次の上り用矢印Ａを書き込むためにステップＳ５に進み（Ｙｅｓの場合）、移動していなければ間隔を開けるためにステップＳ１０に戻る（Ｎｏの場合）。
【００６６】
（５）効果
以上により本実施形態のエスカレータ１０であると、書き込み装置１００によって上り用矢印Ａ又は下り用矢印Ａを書き込むことができ、この動作は起動時にのみ行えばよい。また、記録部１１８の内容を変更すれば、矢印Ａに限らず、どの様な情報でも表示シート７４に書き込むことができる。
【実施形態３】
【００６７】
実施形態３のエスカレータ１０について、図１３〜図１８に基づいて説明する。
【００６８】
実施形態１では、書き込みローラ８６に設けられた磁石部９０によって矢印Ａが表示シート７４に書き込まれたが、本実施形態ではこの表示シート７４の代わりに、予め決められた表示内容を表示する磁気泳動方式の表示内容構成型の表示シート１２２を用いる。
【００６９】
本実施形態は、図１３に示すように、上り運転に用いられる下階側書き込み装置１２４、下り運転に用いられる上階側書き込み装置１２６、欄干３６の上部に設けられた降り口用書き込み装置１２８から構成される。
【００７０】
表示シート１２２は、図１５に示すように、上り用矢印Ａ１、下り用矢印Ａ２、乗り込み禁止マークＡ３が順番に表示されている。なお、以下の説明では、上り運転時に下階側書き込み装置１２４によって表示シート１２２に与えられる磁気の磁極をＮ極とし、下り運転時に上階側書き込み装置１２６によって表示シート１２２に与えられる磁極をＳ極とし、表示シート１２２に表示したい内容、すなわち上り用矢印Ａ１、下り用矢印Ａ２、乗り込み禁止マークＡ３を黒色、それ以外の非表示部分を白色で表現する。
【００７１】
表示シート１２２は、フィルム１３０とフィルム１３２との間にマイクロカプセル１３４又はマイクロカプセル１３６が挟持されている。マイクロカプセル１３４は上り用矢印Ａ１の部分に挟持され、禁止マークＡ３の部分にはマイクロカプセル１３６が挟持されている。図１６に示すように、上り用矢印Ａ１におけるマイクロカプセル１３４の内部の磁性粉１３４ａがＳ極を黒色、Ｎ極を白色で分割して着色され、流体１３６ｂが白色で着色されている。下り用矢印Ａ２のマイクロカプセルについては図示しないが、マイクロカプセル内部の磁性粉の着色は上記とは逆でＳ極を白色、Ｎ極を黒色で着色し、流体が白色で着色されている。禁止マークＡ３におけるマイクロカプセル１３６は、図１７に示すように、磁性粉１３６ａがＳ極とＮ極共に白色で着色され、すなわち、磁性粉１３６ａ全部が白色で着色され、流体１３６ｂが黒色で着色されている。
【００７２】
下階側書き込み装置１２４について図１５と図１６に基づいて説明する。下階側書き込み装置１２４は板状の永久磁石を有し、上り運転のときに下階側書き込み装置１２４の永久磁石により表示シート１２２にＮ極の磁気が与えられ、上り用矢印Ａ１は図１５と図１６に示すようにマイクロカプセル１３４内部の磁性粉１３４ａの黒色に着色したＳ極側が表示シート１２２の表面側に引き付けられ、上り用矢印Ａ１が表示される。また、禁止マークＡ３は、マイクロカプセル１３６内の白色に着色した磁性粉１３４ａが引き付けられることで禁止マークＡ３が表示されない。
【００７３】
上階側書き込み装置１２６について図１５に基づいて説明する。上階側書き込み装置１２６は板状の永久磁石を有し、下り運転のときに上階側書き込み装置１２６の永久磁石により表示シート１２２にＳ極の磁気が与えられ、下り用矢印Ａ２は図１５に示すようにマイクロカプセル内部の磁性粉の黒色に着色したＮ極側が表示シート１２２の表面側に引き付けられ、下り用矢印Ａ２が表示される。また、禁止マークＡ３は、マイクロカプセル１３６内の白色に着色した磁性粉１３４ａが引き付けられることで禁止マークＡ３が表示されない。
【００７４】
降り口用書き込み装置１２８について図１４に基づいて説明する。欄干３６の上端部に設けられた手摺りレール１３８の上部を覆うように手摺りベルト３８と手摺り移動ベルト６０が移動する。そして、手摺りレール１３８の中央部分には、降り口用永久磁石１４０が配されている。この降り口用永久磁石１４０は、手摺りレール３９の中央部から突出した支持脚１４２に支持されている。
【００７５】
上記のように下階側書き込み装置１２４によって上り用矢印Ａ１が書き込まれた表示シート１２２は、手摺りベルト３８によって移動し、上階と下階の途中に設けられた降り口用書き込み装置１２８の上部を通過する。この場合に、降り口用永久磁石１４０の磁力によってＳ極、Ｎ極共に白色で着色された磁性粉１３６ａが、マイクロカプセル１３６の下方側に引き付けられ、黒色で着色された流体１３６ｂが上部に移動し、禁止マークＡ３が表示される。したがって、上り運転において手摺りベルト３８が上階側に到着すると、表示シート１２２の正面には禁止マークＡ３が表示されているため、乗り込み禁止であることを乗客に知らせることができる。
【００７６】
上階側書き込み装置１２６を通過するときに、上階側書き込み装置１２６の永久磁石が、Ｎ極側の黒色を引き付けるため、表示シート１２２の表面にある上り用矢印Ａが消去される。手摺りベルト３８が下階側までスカートガード４４内部を移動すると、下階側書き込み装置１２４によって再び上り用矢印Ａが書き込まれる。
【００７７】
運転方向を下り運転とした場合にも上記とは逆の作用により、上階側書き込み装置１２６のＮ極の磁力によって下り用矢印Ａ２が表示され、上り用矢印Ａ１及び禁止マークＡ３は表示されない。そして、手摺りベルト３８が下り方向に移動し降り口用書き込み装置１２８を通過するときに禁止マークＡ３が表示される。
【００７８】
手摺りベルト３８が下階側に到着すると、下階側書き込み装置１２４によって下り用矢印Ａ２と禁止マークＡ３の表示が消去される。
【００７９】
なお、上記説明では、下り運転時に用いられる上階側書き込み装置１２６の永久磁石をＳ極とし、上り運転時に用いられる下階側書き込み装置１２４の永久磁石をＮ極としたが、これを逆にしてもよい。但し、この場合には表示シート１２２に表示される上り用矢印Ａ１と下り用矢印Ａ２を構成するマイクロカプセル内の磁性粉のＳ極とＮ極の着色を黒白逆にする必要がある。
【実施形態４】
【００８０】
次に、実施形態４のエスカレータ１０について、図１８〜図２０に基づいて説明する。
【００８１】
本実施形態と実施形態１の異なる点は、手摺りベルト３８の構造にあり、本実施形態では手摺りベルト３８の表面にサーモクロミック塗料によって形成された塗布部１４４が形成されている。また、図１８に示すように、上階側の正面スカートガード４０内部には上階側書き込み装置１５８が設けられ、下階側の正面スカートガード４０内部には下階側書き込み装置１５６が設けられている。
【００８２】
下階側書き込み装置１５６は、図１８と図１９に示すように、伝熱ローラ１４６と支持ローラ１４８とより形成され、塗布部１４４を有する手摺りベルト３８が伝熱ローラ１４６と支持ローラ１４８との間を通過する。この場合に、伝熱ローラ１４６側を塗布部１４４が通過する。伝熱ローラ１４６は、矢印Ａに対応して熱容量の小さい材料で形成された伝熱部１５０を有し、他の部分はこの熱容量の小さい伝熱部１５０よりも大きい熱容量の材料で形成されている。そして、ヒータ片１５２を有するヒータ部１５４が設けられ、ヒータ部１５４によって加熱された熱が金属製のヒータ片１５２を通じて伝熱ローラ１４６の伝熱部１５０に熱を伝える。これによって、伝熱部１５０が所定温度以上に加熱される。矢印Ａの形状の伝熱部１５０が所定温度以上に加熱された伝熱ローラ１４６が、手摺りベルト３８の塗布部１４４に押圧されると、サーモクロミック塗料で形成された塗布部１４４が矢印Ａの形状に色が変化し進行方向を表示する。なお、上階側書き込み装置１５８も同様の構造を有する。
【００８３】
上り運転の場合には、下階側書き込み装置１５６のヒータ部１５４のスイッチ１６０をＯＮさせ、上階側書き込み装置１５８のヒータ部１５４のスイッチ１６０をＯＦＦにすることにより、上り用矢印Ａが塗布部１４４に浮かび上がる。
【００８４】
逆に、下り運転の場合には、上階側書き込み装置１５８のヒータ部１５４のスイッチ１６０をＯＮし、下階側用書き込み装置１５６のヒータ部１５４のスイッチ１６０をＯＦＦにすることにより、下り用矢印Ａが浮かび上がる。なお、手摺りベルト３８に表示された矢印Ａは自然冷却されることにより、降り口側に行く前に自然に消える。
【００８５】
本実施形態においても、手摺りベルト３８の表面に上り用矢印Ａ又は下り用矢印Ａを表示できる。
【変更例】
【００８６】
上記実施形態では、エスカレータ１０で説明したが、無端状のパレット（ステップ）が移動する動く歩道においても同様に適用できる。
【００８７】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００８８】
１０・・・エスカレータ、３６・・・欄干、３８・・・手摺りベルト、５０・・・制御装置、６８・・・上階側書き込み装置、７０・・・下階側書き込み装置、７２・・・消去装置、７４・・・表示シート、３０・・・踏段
【図１】
2014237513.tif 000003
【図２】
2014237513.tif 000004
【図３】
2014237513.tif 000005
【図４】
2014237513.tif 000006
【図５】
2014237513.tif 000007
【図６】
2014237513.tif 000008
【図７】
2014237513.tif 000009
【図８】
2014237513.tif 000010
【図９】
2014237513.tif 000011
【図１０】
2014237513.tif 000012
【図１１】
2014237513.tif 000013
【図１２】
2014237513.tif 000014
【図１３】
2014237513.tif 000015
【図１４】
2014237513.tif 000016
【図１５】
2014237513.tif 000017
【図１６】
2014237513.tif 000018
【図１７】
2014237513.tif 000019
【図１８】
2014237513.tif 000020
【図１９】
2014237513.tif 000021
【図２０】
2014237513.tif 000022
【手続補正書】
【提出日】平成26年7月14日(2014.7.14)
【手続補正１】
【補正対象書類名】特許請求の範囲
【補正対象項目名】全文
【補正方法】変更
【補正の内容】
【特許請求の範囲】
【請求項１】
無端状に連結されて移動する複数のステップと、
前記ステップの左右両側に立設された左右一対の欄干と、
前記欄干の縁に沿って、前記ステップと同期して移動する手摺りベルトと、
前記手摺りベルトの表面に設けられた表示部と、
前記表示部に情報を表示させるための書き込み装置と、
前記表示部によって表示された前記手摺りベルトの前記情報を消去する消去装置と、
を有し、
前記書き込み装置は、前記乗客コンベアの一方の乗降口と他方の乗降口にそれぞれ設けられ、
前記消去装置は、前記欄干又はスカートガードに設けられている、
乗客コンベア。
【請求項２】
前記表示部が前記手摺りベルトの表面に設けられた磁気泳動方式の表示シートであり、
前記書き込み装置は、前記表示シートに前記情報に対応した磁気を与えて、前記情報を書き込む永久磁石、又は、電磁石であり、
前記消去装置は、前記表示シートの前記情報を磁気によって消去するための永久磁石、又は、電磁石である、
請求項１に記載の乗客コンベア。
【請求項３】
前記書き込み装置が、
前記手摺りベルトと同期して回転しながら前記手摺りベルトに押圧される書き込みローラと、
前記書き込みローラの表面に、前記情報に対応した形状で設けられた永久磁石と、
を有する請求項２に記載の乗客コンベア。
【請求項４】
前記書き込み装置が、
前記手摺りベルトの幅方向に設けられ、前記表示部に磁気を与える複数の電磁石からなる電磁石ユニット部と、
前記情報に対応したＯＮ又はＯＦＦの磁化パターンを前記手摺りベルトの移動方向と幅方向に分けて、前記電磁石ユニット部の前記電磁石に個々に出力する指令部と、
を有する請求項２に記載の乗客コンベア。
【請求項５】
前記表示シートは、表示したい色に着色された磁性粉と前記表示したい色と異なる色に着色された流体とを内包したマイクロカプセルと、
前記マイクロカプセルを挟持している一対のフィルムを有する、
請求項２に記載の乗客コンベア。
【請求項６】
前記表示シートは、磁性粉と流体とを内包したマイクロカプセルと、
前記マイクロカプセルを挟持している一対のフィルムを有し、
前記磁性粉のＳ極とＮ極に分割して磁性化され、前記極毎に着色されている色が異なり、
前記流体の色が、前記Ｓ極又は前記Ｎ極の色に着色されている、
請求項２に記載の乗客コンベア。
【請求項７】
前記書き込み装置は、前記情報を所定間隔毎に前記表示シートに書き込む、
請求項１に記載の乗客コンベア。
【請求項８】
前記情報が、前記ステップの移動方向を示す矢印である、
請求項１に記載の乗客コンベア。
【請求項９】
前記情報が、前記乗降口への進入禁止を示すマークである、
請求項１に記載の乗客コンベア。
【手続補正２】
【補正対象書類名】明細書
【補正対象項目名】０００９
【補正方法】変更
【補正の内容】
【０００９】
本発明の実施形態は、無端状に連結されて移動する複数のステップと、前記ステップの左右両側に立設された左右一対の欄干と、前記欄干の縁に沿って、前記ステップと同期して移動する手摺りベルトと、前記手摺りベルトの表面に設けられた表示部と、前記表示部に情報を表示させるための書き込み装置と、前記表示部によって表示された前記手摺りベルトの前記情報を消去する消去装置と、を有し、前記書き込み装置は、前記乗客コンベアの一方の乗降口と他方の乗降口にそれぞれ設けられ、前記消去装置は、前記欄干又はスカートガードに設けられている、乗客コンベアである。